(57)【要約】【課題】利用者データの提供における作業性を向上させることができる、利用者端末、利用者端末の制御方法、二次元コード提供装置、印刷媒体、利用者端末制御プログラム、ネットワーク装置、ネットワーク装置の制御方法及びネットワーク装置制御プログラムを提供する。【解決手段】利用者端末は、利用者が利用する利用者端末であって、二次元コードを撮影する撮影部と、撮影された二次元コードに含まれるアクセス情報を読取る読取部と、ネットワークを介して接続されたネットワーク装置に対して、アクセス情報と利用者端末の識別情報とを送信する情報送信部と、接続されたネットワーク装置に対して、アクセス情報と対応付けて記録したい利用者データを送信する利用者データ送信部とを備える。【選択図】図１
2019148932.tif 000002
【特許請求の範囲】
【請求項１】
利用者が利用する利用者端末であって、
二次元コードを撮影する撮影部と、
撮影された前記二次元コードに含まれるアクセス情報を読取る読取部と、
ネットワークを介して接続されたネットワーク装置に対して、前記アクセス情報と前記利用者端末の識別情報とを送信する情報送信部と、
接続された前記ネットワーク装置に対して、前記アクセス情報と対応付けて記録したい利用者データを送信する利用者データ送信部と
を備える、利用者端末。
【請求項２】
送信された前記アクセス情報と前記識別情報との対応付けの登録を前記ネットワーク装置に指示する対応付登録指示部をさらに備える、請求項１に記載の利用者端末。
【請求項３】
前記対応付登録指示部は、前記ネットワーク装置において前記アクセス情報に前記対応付けが登録されていないと判断された場合に、前記登録を指示する、請求項２に記載の利用者端末。
【請求項４】
前記利用者データ送信部は、前記ネットワーク装置において前記識別情報における前記対応付けが登録されていると判断された場合に、前記利用者データを送信する、請求項２または３に記載の利用者端末。
【請求項５】
前記利用者データ送信部は、前記ネットワーク装置において前記利用者データが既に記録されていると判断された場合に、記録を更新するための前記利用者データを送信する、請求項４に記載の利用者端末。
【請求項６】
前記利用者データ送信部は、前記二次元コードと同時に撮影された撮影画像を前記利用者データとして送信する、請求項１から５のいずれか一項に記載の利用者端末。
【請求項７】
送信された前記識別情報が前記アクセス情報と対応付けて登録されている識別情報とは異なると前記ネットワーク装置において判断された場合に、前記アクセス情報と対応付けられて記録された前記利用者データを閲覧する利用者データ閲覧部をさらに備える、請求項１から６のいずれか一項に記載の利用者端末。
【請求項８】
利用者が利用する利用者端末の制御方法であって、
二次元コードを撮影する撮影ステップと、
撮影された前記二次元コードに含まれるアクセス情報を読取る読取ステップと、
ネットワークを介して接続されたネットワーク装置に対して、前記アクセス情報と前記利用者端末の識別情報とを送信する情報送信ステップと、
接続された前記ネットワーク装置に対して、前記アクセス情報と対応付けて記録したい利用者データを送信する利用者データ送信ステップと
を含む、利用者端末の制御方法。
【請求項９】
請求項１から７のいずれか一項に記載の利用者端末の前記読取部において読取り可能なアクセス情報が含まれる二次元コードをネットワークを介して提供する、二次元コード提供装置。
【請求項１０】
請求項１から７のいずれか一項に記載の利用者端末の前記読取部において読取り可能なアクセス情報が含まれる二次元コードが印刷された印刷媒体。
【請求項１１】
共通の前記アクセス情報を含む異なる前記二次元コードがそれぞれ印字された複数の付箋用紙が糊付けされて一の付箋用紙束を形成する、請求項１０に記載の印刷媒体。
【請求項１２】
コンピュータを、請求項１から７のいずれか一つに記載の利用者端末の各機能部として機能させるための利用者端末制御プログラム。
【請求項１３】
利用者が利用する利用者端末の識別情報と、前記利用者端末において撮影された二次元コードから読み取られたアクセス情報とを、ネットワークを介して接続された前記利用者端末から取得する情報取得部と、
前記利用者端末から取得された前記アクセス情報と利用者データとを対応付けて記録する利用者データ記録部と
を備える、ネットワーク装置。
【請求項１４】
取得された前記アクセス情報と前記識別情報との対応付けを登録する対応付登録部をさらに備える、請求項１３に記載のネットワーク装置。
【請求項１５】
取得された前記アクセス情報に前記対応付けが登録されているか否かを判断する登録判断部をさらに備え、
前記対応付登録部は、前記登録がされていないと判断された場合に前記対応付けを登録する、請求項１４に記載のネットワーク装置。
【請求項１６】
前記登録判断部は、取得された前記識別情報が前記アクセス情報と対応付いて登録されている識別情報が同一か否かをさらに判断し、
前記利用者データ記録部は、前記識別情報が同一であると判断された場合に、前記アクセス情報と前記利用者データとを対応付けて記録する、請求項１５に記載のネットワーク装置。
【請求項１７】
前記登録判断部において前記識別情報が同一ではないと判断された場合に、前記アクセス情報と対応付けられて記録された前記利用者データを閲覧可能に提供する利用者データ提供部をさらに備える、請求項１６に記載のネットワーク装置。
【請求項１８】
前記アクセス情報と対応付けられた前記利用者データが既に記録されているか否かを判断する記録判断部をさらに備え、
前記利用者データ記録部は、前記利用者データが既に記録されていると判断された場合に、前記利用者データを更新して記録する、請求項１６または１７に記載のネットワーク装置。
【請求項１９】
前記利用者データ記録部は、前記利用者端末において前記二次元コードと同時に撮影された撮影画像を前記利用者データとして記録する、請求項１３から１８のいずれか一項に記載のネットワーク装置。
【請求項２０】
利用者が利用する利用者端末の識別情報と、前記利用者端末において撮影された二次元コードから読み取られたアクセス情報とを、ネットワークを介して接続された前記利用者端末から取得する情報取得ステップと、
前記利用者端末から取得された前記アクセス情報と利用者データとを対応付けて記録する利用者データ記録ステップと
を含む、ネットワーク装置の制御方法。
【請求項２１】
コンピュータを、請求項１３から１９のいずれか一つに記載のネットワーク装置の各機能部として機能させるためのネットワーク装置制御プログラム。
【発明の詳細な説明】
【技術分野】
【０００１】
本発明は、利用者端末、利用者端末の制御方法、二次元コード提供装置、印刷媒体、利用者端末制御プログラム、ネットワーク装置、ネットワーク装置の制御方法及びネットワーク装置制御プログラムに関する。
【背景技術】
【０００２】
従来から、カメラで撮影した画像等の利用者データをネットワーク上の保存場所に保存して、保存場所のアクセス先を示すＵＲＬ（Ｕｎｉｆｏｒｍ  Ｒｅｓｏｕｒｃｅ  Ｌｏｃａｔｏｒ）を二次元コードに符号化して提供することにより、二次元コードを読取った端末に対して、保存した利用者データを提供することができる装置がある（例えば、特許文献１を参照）。
【先行技術文献】
【特許文献】
【０００３】
【特許文献１】特開２００６−２３８１０３号公報
【発明の概要】
【発明が解決しようとする課題】
【０００４】
しかし、利用者データを保存場所に保存するには、保存場所への利用者データの保存または削除等を行う権限を有することを証明するために、例えばログイン用のＩＤとパスワードの入力等の認証作業が要求されて、利用者データの利用における作業性が低下する場合があった。
【０００５】
また、利用者データの保存先が利用者データ毎に異なる場合には、保存先へアクセスするための二次元コードを利用者データの保存先毎に生成する手間が掛かってしまい、利用者データの利用における作業性が低下する場合があった。
【０００６】
本発明は上記事情に鑑みてなされたものであり、１つの実施形態において、利用者データの提供における作業性を向上させることができる、利用者端末、利用者端末の制御方法、二次元コード提供装置、印刷媒体、利用者端末制御プログラム、ネットワーク装置、ネットワーク装置の制御方法及びネットワーク装置制御プログラムを提供することを一つの目的とする。
【課題を解決するための手段】
【０００７】
（１）上記の課題を解決するため、実施形態の利用者端末は、利用者が利用する利用者端末であって、二次元コードを撮影する撮影部と、撮影された前記二次元コードに含まれるアクセス情報を読取る読取部と、ネットワークを介して接続されたネットワーク装置に対して、前記アクセス情報と前記利用者端末の識別情報とを送信する情報送信部と、接続された前記ネットワーク装置に対して、前記アクセス情報と対応付けて記録したい利用者データを送信する利用者データ送信部とを備える。
【０００８】
（２）また、実施形態の利用者端末において、送信された前記アクセス情報と前記識別情報との対応付けの登録を前記ネットワーク装置に指示する対応付登録指示部をさらに備える。
【０００９】
（３）また、実施形態の利用者端末において、前記対応付登録指示部は、前記ネットワーク装置において前記アクセス情報に前記対応付けが登録されていないと判断された場合に、前記登録を指示する。
【００１０】
（４）また、実施形態の利用者端末において、前記利用者データ送信部は、前記ネットワーク装置において前記識別情報における前記対応付けが登録されていると判断された場合に、前記利用者データを送信する。
【００１１】
（５）また、実施形態の利用者端末において、前記利用者データ送信部は、前記ネットワーク装置において前記利用者データが既に記録されていると判断された場合に、記録を更新するための前記利用者データを送信する。
【００１２】
（６）また、実施形態の利用者端末において、前記利用者データ送信部は、前記二次元コードと同時に撮影された撮影画像を前記利用者データとして送信する。
【００１３】
（７）また、実施形態の利用者端末において、送信された前記識別情報が前記アクセス情報と対応付けて登録されている識別情報とは異なると前記ネットワーク装置において判断された場合に、前記アクセス情報と対応付けられて記録された前記利用者データを閲覧する利用者データ閲覧部をさらに備える。
【００１４】
（８）上記の課題を解決するため、実施形態の利用者端末の制御方法は、利用者が利用する利用者端末の制御方法であって、二次元コードを撮影する撮影ステップと、撮影された前記二次元コードに含まれるアクセス情報を読取る読取ステップと、ネットワークを介して接続されたネットワーク装置に対して、前記アクセス情報と前記利用者端末の識別情報とを送信する情報送信ステップと、接続された前記ネットワーク装置に対して、前記アクセス情報と対応付けて記録したい利用者データを送信する利用者データ送信ステップとを含む。
【００１５】
（９）上記の課題を解決するため、実施形態の二次元コード提供装置は、上記いずれか一に記載の利用者端末の前記読取部において読取り可能なアクセス情報が含まれる二次元コードをネットワークを介して提供する。
【００１６】
（１０）上記の課題を解決するため、実施形態の印刷媒体は、上記いずれか一に記載の利用者端末の前記読取部において読取り可能なアクセス情報が含まれる二次元コードが印刷されている。
【００１７】
（１１）また、実施形態の印刷媒体において、共通の前記アクセス情報を含む異なる前記二次元コードがそれぞれ印字された複数の付箋用紙が糊付けされて一の付箋用紙束を形成している。
【００１８】
（１２）上記の課題を解決するため、実施形態の利用者端末制御プログラムは、コンピュータを上記いずれか一に記載の利用者端末の各機能部として機能させる。
【００１９】
（１３）上記の課題を解決するため、実施形態のネットワーク装置は、利用者が利用する利用者端末の識別情報と、前記利用者端末において撮影された二次元コードから読み取られたアクセス情報とを、ネットワークを介して接続された前記利用者端末から取得する情報取得部と、前記利用者端末から取得された前記アクセス情報と利用者データとを対応付けて記録する利用者データ記録部とを備える。
【００２０】
（１４）また、実施形態のネットワーク装置において、取得された前記アクセス情報と前記識別情報との対応付けを登録する対応付登録部をさらに備える。
【００２１】
（１５）また、実施形態のネットワーク装置において、取得された前記アクセス情報に前記対応付けが登録されているか否かを判断する登録判断部をさらに備え、前記対応付登録部は、前記登録がされていないと判断された場合に前記対応付けを登録する。
【００２２】
（１６）また、実施形態のネットワーク装置において、前記登録判断部は、取得された前記識別情報が前記アクセス情報と対応付いて登録されている識別情報が同一か否かをさらに判断し、前記利用者データ記録部は、前記識別情報が同一であると判断された場合に、前記アクセス情報と前記利用者データとを対応付けて記録する。
【００２３】
（１７）また、実施形態のネットワーク装置において、前記登録判断部において前記識別情報が同一ではないと判断された場合に、前記アクセス情報と対応付けられて記録された前記利用者データを閲覧可能に提供する利用者データ提供部をさらに備える。
【００２４】
（１８）また、実施形態のネットワーク装置において、前記アクセス情報と対応付けられた前記利用者データが既に記録されているか否かを判断する記録判断部をさらに備え、前記利用者データ記録部は、前記利用者データが既に記録されていると判断された場合に、前記利用者データを更新して記録する。
【００２５】
（１９）また、実施形態のネットワーク装置において、前記利用者データ記録部は、前記利用者端末において前記二次元コードと同時に撮影された撮影画像を前記利用者データとして記録する。
【００２６】
（２０）上記の課題を解決するため、実施形態のネットワーク装置の制御方法は、利用者が利用する利用者端末の識別情報と、前記利用者端末において撮影された二次元コードから読み取られたアクセス情報とを、ネットワークを介して接続された前記利用者端末から取得する情報取得ステップと、前記利用者端末から取得された前記アクセス情報と利用者データとを対応付けて記録する利用者データ記録ステップとを含む。
【００２７】
（２１）上記の課題を解決するため、実施形態のネットワーク装置制御プログラムは、コンピュータを上記いずれか一に記載のネットワーク装置の各機能部として機能させる。
【発明の効果】
【００２８】
一つの実施形態によれば、利用者データの提供における作業性を向上させることができる、利用者端末、利用者端末の制御方法、二次元コード提供装置、印刷媒体、利用者端末制御プログラム、ネットワーク装置、ネットワーク装置の制御方法及びネットワーク装置制御プログラム、ネットワーク装置、ネットワーク装置の制御方法およびネットワーク装置制御プログラムを提供することができる。
【図面の簡単な説明】
【００２９】
【図１】実施形態における利用者端末のソフトウェア構成の一例を示すブロック図である。
【図２】実施形態におけるネットワーク装置のソフトウェア構成の一例を示すブロック図である。
【図３】実施形態における利用者端末のハードウェア構成の一例を示すブロック図である。
【図４】実施形態における付箋用紙束の一例を示す図である。
【図５】実施形態における専用アプリの表示の一例を示す図である。
【図６】実施形態における利用者端末制御プログラムの動作の一例を示すフローチャートである。
【図７】実施形態におけるネットワーク装置制御プログラムの動作の一例を示すフローチャートである。
【発明を実施するための形態】
【００３０】
以下、図面を参照して本発明の一実施形態における利用者端末、情報提供方法、情報提供プログラムおよび利用者端末制御プログラムについて詳細に説明する。
【００３１】
先ず、図１を用いて、利用者端末のソフトウェア構成を説明する。図１は、実施形態における利用者端末のソフトウェア構成の一例を示すブロック図である。
【００３２】
図１において、利用者端末１は、撮影部１１、読取部１２、情報送信部１３、対応付登録指示部１４、利用者データ送信部１５および利用者データ閲覧部１６の各機能を有する。本実施形態における利用者端末１の上記各機能は、利用者端末１を制御する利用者端末制御プログラム（ソフトウェア）によって実現される機能モジュール（機能部）であるものとして説明する。利用者端末制御プログラムは、例えばスマートフォンにインストールされた専用のアプリケーションプログラム（以下、「専用アプリ」という。専用アプリの詳細は後述する。）である。
【００３３】
利用者端末１は、利用者が利用する端末装置であって、例えば、スマートフォン、タブレットＰＣ、ノートＰＣ、デスクトップＰＣ等である。利用者端末１は、上述した機能モジュールを、例えば、利用者端末１上で動作するアプリケーションプログラムを実行することにより実現することができる。
【００３４】
撮影部１１は、二次元コードを撮影する。二次元コードとは、水平方向と垂直方向の二次元においてコード化した情報を配列した画像である。二次元コードは、例えば、印刷媒体に印刷され、表示装置に表示されることにより撮影可能になる。撮影部１１は、例えば、利用者端末１に設けられたカメラを制御して、印刷媒体等に表示されている二次元コードを撮影する。また、撮影部１１は、利用者端末１の表示画面に表示された二次元コードの画像をキャプチャすることにより二次元コードを撮影するようにしてもよい。また、撮影部１１は、利用者端末１と通信可能に接続される利用者端末１の外部にあるカメラを用いて二次元コードを撮影するものであってもよい。本実施形態においては、二次元コードが付箋用紙に印刷されて提供される場合を例示して後述する。
【００３５】
読取部１２は、撮影された二次元コードに含まれるアクセス情報を読取る。アクセス情報とは、利用者データの記録先へアクセスするための情報である。アクセス情報は、例えば、記録先のＵＲＬ、利用者を特定するためのＩＤ、利用者データを特定するためのＩＤ、パスワード等の情報である。読取部１２は、撮影された二次元コードに含まれるアクセス情報を読取ることにより、利用者データへのアクセス方法を取得することが可能となる。なお、二次元コードには、アクセス情報以外の情報が含まれていてもよく、読取部１２は、二次元コードからアクセス情報以外の情報を読取るものであってもよい。
【００３６】
情報送信部１３は、ネットワーク９を介して接続されたネットワーク装置２に対して、アクセス情報と利用者端末１の識別情報とを送信する。利用者端末１の識別情報とは、利用者端末１を一意に識別する情報であり、ＳＩＭ（Ｓｕｂｓｃｒｉｂｅｒ  Ｉｄｅｎｔｉｔｙ  Ｍｏｄｕｌｅ）カード発信番号（電話番号）、ＳＩＭカード端末製造番号、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）、ＭＡＣアドレス、または端末シリアル番号等である。情報送信部１３は、一または複数の識別情報を送信する。情報送信部１３は、アクセス情報と識別情報とを、併せて送信しても、または分割して送信してもよい。
【００３７】
ネットワーク９は、例えば、インターネット、携帯電話キャリアの専用回線、またはＬＡＮ（Ｌｏｃａｌ  Ａｒｅａ  Ｎｅｔｗｏｒｋ）等の通信回線である。利用者端末１は、ネットワーク９を介した有線通信または無線通信にてネットワーク装置２と接続できる通信端末である。ネットワーク９には、図示しない無線基地局、無線アクセスポイントまたはルータ等のネットワーク機器を含んでいてもよい。
【００３８】
対応付登録指示部１４は、情報送信部１３において送信されたアクセス情報と識別情報との対応付けの登録をネットワーク装置２に指示する。アクセス情報と識別情報との対応付けの登録とは、二次元コードに含まれるアクセス情報と、そのアクセス情報を読取った利用者端末１とを対応付けて登録することである。対応付登録指示部１４は、アクセス情報と識別情報とを対応付けるための指示をネットワーク装置２に対して行う。ネットワーク装置２に対する指示は、利用者からの明示的な指示、または非明示的な指示によって行うことができる。明示的な指示とは、例えば、二次元コードに含まれるアクセス情報に基づきネットワーク装置２にアクセスした後に、対応付登録指示部１４が利用者端末１の表示画面に、利用者端末１を登録するか否かの選択画面を表示して、利用者が「はい」を選択したときに登録を指示する。また、非明示的な指示とは、例えば、二次元コードに含まれるアクセス情報に基づき、利用者端末１の表示画面に、ネットワーク装置２にアクセスするか否かの選択画面を表示して、利用者が「はい」を選択したときにネットワーク装置２にアクセスすることにより、ネットワーク装置２においてアクセスをした利用者端末１に識別情報を自動的に登録することにより対応付けを登録する。
【００３９】
対応付登録指示部１４は、ネットワーク装置２に対してアクセス情報と識別情報との対応付けを登録させるものであれば、その手順は任意な方法で実施することができる。例えば、対応付登録指示部１４は、ネットワーク装置２においてアクセス情報に対応付けが登録されていないと判断された場合に、対応付けの登録を指示する。対応付けが登録されていないとは、例えば、二次元コードが初めて撮影されて、二次元コードに含まれるアクセス情報に基づき、初めてネットワーク装置２に対してアクセスがあった場合である。アクセス情報に対応付けが未登録である場合に、対応付けの登録を指示することにより、一のアクセス情報に対して一の利用者端末１のみを対応付けて登録することが可能となる。例えば、アクセス情報で示される記録先への利用者データの記録を、登録された識別情報を有する利用者端末１に限定するようにしてもよい。
【００４０】
利用者データ送信部１５は、接続されたネットワーク装置２に対して、アクセス情報と対応付けて記録したい利用者データを送信する。利用者データとは、利用者によってネットワーク装置２に記録される記録対象であり、例えば、画像、テキストデータ、音声データ、プログラム等である。本実施形態では、利用者データとして、撮影画像を記録する場合を例示する。撮影画像は、例えば、利用者端末１のカメラによって二次元コードと同時に撮影された画像である。
【００４１】
利用者データ送信部１５は、ネットワーク装置２において、自らの利用者端末１の識別情報における対応付けが登録されていると判断された場合に、利用者データを送信する。自らの利用者端末１の識別情報における対応付けが登録されているか否かは、例えば、ネットワーク装置２において登録されている対応付けを検索し、アクセス情報と自身の識別情報との一致の有無を知ることにより判断することができる。利用者データ送信部１５は、自らの識別情報における対応付けが登録されていると判断された場合に、そのアクセス情報に示される記録先に対して利用者データを送信する。
【００４２】
利用者データ送信部１５は、ネットワーク装置２において、自らの利用者端末１の識別情報における対応付けが登録されていると判断された場合において、さらに利用者データが既に記録されていると判断された場合には、記録を更新するための利用者データを送信する。利用者データ送信部１５は、利用者データが未記録である場合、１回目の利用者データを記録するように利用者データを送信する。また、利用者データが記録済である場合、記録されている利用者データを更新するように利用者データを送信する。利用者データの更新とは、元の利用者データを新たな利用者データに置換える（上書きする）ようにしてもよく、また、元の利用者データを残して新たな利用者データを追加するようにしてもよい。すなわち、利用者データ送信部１５は、自らの利用者端末１の識別情報における対応付けが登録されていると判断された場合においては、何度でも利用者データを更新することが可能となる。
【００４３】
利用者データ閲覧部１６、アクセス情報とともに送信された自らの識別情報が、アクセス情報と対応付けて登録されている識別情報とは異なるとネットワーク装置２において判断された場合に、アクセス情報と対応付けられて記録された利用者データを閲覧する。送信された自らの識別情報がアクセス情報と対応付けて登録されている識別情報とが異なる場合とは、アクセス情報が他の利用者端末１の識別情報と既に対応付けられて登録されている場合である。すなわち、対応付登録指示部１４と利用者データ送信部１５が自身の利用者端末１から利用者データを記録する機能を有しているのに対して、利用者データ閲覧部１６は、他の利用者端末１から記録された利用者データを閲覧する機能を有している。なお、利用者データ閲覧部１６は、閲覧専用の機能として、対応付登録指示部１４と利用者データ送信部１５の機能を有しない利用者端末１において実行されるようにしてもよい。
【００４４】
なお、利用者端末１が有する、撮影部１１、読取部１２、情報送信部１３、対応付登録指示部１４、利用者データ送信部１５および利用者データ閲覧部１６の各機能は、利用者端末１の機能の一例を示したものであり、利用者端末１が有する機能を限定したものではない。例えば、利用者端末１は、上記全ての機能を有している必要はなく、一部の機能を有するものであってもよい。また、利用者端末１は、上記以外の他の機能を有していてもよい。例えば、利用者端末１は、機能の設定を行うための入力機能や、装置の稼働状態をＬＥＤランプ等により報知する出力機能を有していてもよい。
【００４５】
また利用者端末１が有する上記各機能は、上述の通り、ソフトウェアによって実現されるものとして説明した。しかし、利用者端末１が有する上記機能の中で少なくとも１つ以上の機能は、ハードウェアによって実現されるものであっても良い。
【００４６】
また、利用者端末１が有する上記何れかの機能は、１つの機能を複数の機能に分割して実施してもよい。また、利用者端末１が有する上記何れか２つ以上の機能を１つの機能に集約して実施してもよい。すなわち、図１は、利用者端末１が有する機能を機能ブロックで表現したものであり、例えば、各機能がそれぞれ別個のプログラムファイル等で構成されていることを示すものではない。
【００４７】
また、利用者端末１は、１つの筐体によって実現される装置であっても、ネットワーク等を介して接続された複数の装置から実現されるシステムであってもよい。例えば、利用者端末１は、その機能の一部または全部をクラウドコンピューティングシステムによって提供されるクラウドサービス等、仮想的な装置によって実現するものであってもよい。すなわち、利用者端末１は、上記各機能のうち、少なくとも１以上の機能を他の装置において実現するようにしてもよい。また、利用者端末１は、サーバ装置等の汎用的なコンピュータであってもよく、機能が限定された専用の装置であってもよい。
【００４８】
次に、図２を用いて、ネットワーク装置２のソフトウェア構成を説明する。図２は、実施形態におけるネットワーク装置２のソフトウェア構成の一例を示すブロック図である。
【００４９】
図２において、ネットワーク装置２は、情報取得部２１、利用者データ記録部２２、対応付登録部２３、登録判断部２４、利用者データ提供部２５及び二次元コード提供部２６の各機能を有する。本実施形態におけるネットワーク装置の上記各機能は、ネットワーク装置２を制御するネットワーク装置制御プログラム（ソフトウェア）によって実現される機能モジュールであるものとして説明する。
【００５０】
ネットワーク装置２は、ネットワーク９を介して複数の利用者端末１（１Ａ、１Ｂ、１Ｃで図示）と接続可能な装置であって、例えば、サーバ装置またはサーバシステム等である。ネットワーク装置２は、上述した機能モジュールを、例えば、ネットワーク装置２上で動作するアプリケーションプログラムを実行することにより実現することができる。
【００５１】
情報取得部２１は、利用者が利用する利用者端末１の識別情報と、利用者端末１において撮影された二次元コードから読み取られたアクセス情報とを、ネットワークを介して接続された利用者端末１から取得する。なお、本実施形態において「取得」という場合には、データの送受信における送信側が主体となってデータを送信するものであってもよく、または受信側が主体となってデータをダウンロード等するものであってもよい。
【００５２】
利用者データ記録部２２は、情報取得部２１において利用者端末１から取得されたアクセス情報と利用者データとを対応付けて記録する。上述のように、アクセス情報は利用者データの記録先へアクセスするための情報である。利用者データ記録部２２は、アクセス情報と利用者データとを対応付けて記録することにより、アクセス情報を用いて記録された利用者データにアクセスが可能となる。
【００５３】
対応付登録部２３は、情報取得部２１において取得されたアクセス情報と識別情報との対応付けを登録する。対応付けの登録は、対応付登録指示部１４からの指示に基づき実行される。アクセス情報には１つの識別情報が対応付けられて登録される。すなわち、１つのアクセス情報に登録できるのは、最初に登録が指示された利用者端末１の識別情報のみであり、他の利用者端末１の識別情報を登録することはできない。一方、１つの識別情報は、複数のアクセス情報に対して登録することができる。すなわち、利用者はアクセス情報毎に異なる利用者データを記録することが可能となる。アクセス情報と識別情報との対応付けは、所定の記憶領域に対応付けの情報（以下、「対応付け情報」という）として登録することができる。対応付け情報は、アクセス情報と識別情報との対応付けが登録されている。
【００５４】
登録判断部２４は、情報取得部２１において取得されたアクセス情報に対応付けが登録されているか否かを判断する。アクセス情報に対応付けが登録されているか否かは、対応付け情報を参照することにより、該当するアクセス情報が存在するか否かによって判断することができる。登録されているか否かを判断結果は、利用者端末１に提供される。利用者端末１の対応付登録指示部１４は、アクセス情報に対応付けが登録されていないと判断された場合に、対応付登録部２３に対して登録を指示する。
【００５５】
さらに、登録判断部２４は、アクセス情報に対応付けが登録されていると判断した場合、情報取得部２１において取得された識別情報がアクセス情報と対応付いて登録されている識別情報が同一か否かを判断する。識別情報がアクセス情報と対応付いて登録されている識別情報が同一か否かは、対応付け情報を参照することにより判断することができる。利用者データ記録部２２は、識別情報が同一であると判断された場合に、アクセス情報と利用者データとを対応付けて記録する。
【００５６】
一方、利用者データ提供部２５は、登録判断部２４において識別情報が同一ではないと判断された場合に、アクセス情報と対応付けられて記録された利用者データを閲覧可能に提供する。利用者データを閲覧可能に提供するとは、例えば、利用者データをダウンロード可能にしたり、送信したりすることである。識別情報が同一ではないと判断された場合とは、アクセス情報によりアクセスした利用者端末１が、利用者データを記録した利用者端末１とは別の端末であることを示す。利用者データの記録は、１つの利用者端末１に限定されるのに対して、利用者データの閲覧は、二次元コードに含まれるアクセス情報に基づき他の利用者端末１から可能となる。
【００５７】
識別情報がアクセス情報と対応付いて登録されている識別情報が同一か否かを判断することにより、利用者端末１は、例えばＩＤとパスワードによる認証を行わなくても、利用者データを記録することが可能となり、また閲覧することが可能となり、利用者データの利用における作業性を向上させることが可能となる。また、利用者データを記録する場合に使用するアクセス情報と、利用者データを閲覧するときに使用するアクセス情報を共有することができるので、記録と閲覧におけるそれぞれのアクセス情報を含む二次元コードを生成する必要がなく、用者データの利用における作業性を向上させることが可能となる。
【００５８】
二次元コード提供部２６は、アクセス情報を含む二次元コードを提供する。二次元コードは、付箋用紙等の印刷媒体において印刷されて提供される以外に、ネットワーク装置２等の、ネットワークを介したサーバ装置等から二次元コードのデータ（例えば、画像データ）として提供されてもよい。二次元コード提供部２６は、利用者端末１等の装置に対して二次元コードのデータを提供する。提供された二次元コードのデータは、例えば、利用者が所有するプリンタで印刷されてもよく、また、利用者のＰＣのディスプレイに表示されてもよい。二次元コード提供部２６を備えて二次元コードを提供するネットワーク装置２は、二次元コード提供装置の一例である。
【００５９】
なお、ネットワーク装置２が有する、情報取得部２１、利用者データ記録部２２、対応付登録部２３、登録判断部２４、利用者データ提供部２５及び二次元コード提供部２６の各機能は、ネットワーク装置２の機能の一例を示したものであり、ネットワーク装置２が有する機能を限定したものではない。例えば、ネットワーク装置２は、上記全ての機能を有している必要はなく、一部の機能を有するものであってもよい。また、利用者端末１は、上記以外の他の機能を有していてもよい。例えば、ネットワーク装置２は、機能の設定を行うための入力機能や、装置の稼働状態をＬＥＤランプ等により報知する出力機能を有していてもよい。
【００６０】
またネットワーク装置２が有する上記各機能は、上述の通り、ソフトウェアによって実現されるものとして説明した。しかし、ネットワーク装置２が有する上記機能の中で少なくとも１つ以上の機能は、ハードウェアによって実現されるものであっても良い。
【００６１】
また、ネットワーク装置２が有する上記何れかの機能は、１つの機能を複数の機能に分割して実施してもよい。また、ネットワーク装置２が有する上記何れか２つ以上の機能を１つの機能に集約して実施してもよい。すなわち、図２は、ネットワーク装置２が有する機能を機能ブロックで表現したものであり、例えば、各機能がそれぞれ別個のプログラムファイル等で構成されていることを示すものではない。
【００６２】
また、ネットワーク装置２は、１つの筐体によって実現される装置であっても、ネットワーク等を介して接続された複数の装置から実現されるシステムであってもよい。例えば、ネットワーク装置２は、その機能の一部または全部をクラウドコンピューティングシステムによって提供されるクラウドサービス等、仮想的な装置によって実現するものであってもよい。すなわち、ネットワーク装置２は、上記各機能のうち、少なくとも１以上の機能を他の装置において実現するようにしてもよい。またネットワーク装置２は、サーバ装置等の汎用的なコンピュータであってもよく、機能が限定された専用の装置であってもよい。
【００６３】
次に、図３を用いて、利用者端末１のハードウェア構成を説明する。図３は、実施形態における利用者端末１のハードウェア構成の一例を示すブロック図である。
【００６４】
利用者端末１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、タッチパネル１０４および通信Ｉ／Ｆ（Ｉｎｔｅｒｆａｃｅ）１０５を有する。利用者端末１は、図１で説明した利用者端末制御プログラムを実行する装置である。
【００６５】
ＣＰＵ１０１は、ＲＡＭ１０２またはＲＯＭ１０３に記憶された利用者端末制御プログラムを実行することにより、利用者端末１の制御を行う。利用者端末制御プログラムは、例えば、利用者端末制御プログラムを記録した記録媒体、又はネットワークを介したプログラム配信サーバ等から取得されて、ＲＯＭ１０３にインストールされ、ＣＰＵ１０１から読出されて実行される。
【００６６】
タッチパネル１０４は、操作入力機能と表示機能（操作表示機能）を有する。タッチパネル１０４は、利用者端末１の利用者に対して指先又はタッチペン等を用いた操作入力を可能にする。本実施形態における利用者端末１は操作表示機能を有するタッチパネル１０４を用いる場合を説明するが、利用者端末１は、表示機能を有する表示装置と操作入力機能を有する操作入力装置とを別個有するものであってもよい。その場合、タッチパネル１０４の表示画面は表示装置の表示画面、タッチパネル１０４の操作は操作入力装置の操作として実施することができる。なお、タッチパネル１０４は、ヘッドマウント型、メガネ型、腕時計型のディスプレイ等の種々の形態によって実現されてもよい。
【００６７】
通信Ｉ／Ｆ１０５は、通信用のＩ／Ｆである。通信Ｉ／Ｆ１０５は、例えば、無線ＬＡＮ、有線ＬＡＮ、赤外線等の近距離無線通信を実行する。図において通信Ｉ／Ｆは通信Ｉ／Ｆ１０５のみを図示するが、利用者端末１は複数の通信方式においてそれぞれの通信Ｉ／Ｆを有するものであってもよい。
【００６８】
次に、図４を用いて、二次元コードが印刷された付箋用紙束を説明する。図４は、実施形態における付箋用紙束の一例を示す図である。
【００６９】
図４において、付箋用紙束３は、複数（例えば、２０枚）の付箋用紙３０（３０ａ、３０ｂ、３０ｃ等で図示）が糊付けされて一の付箋用紙束として形成されている。複数の付箋用紙３０が重ねられていることを示すため図では、それぞれの付箋用紙３０をずらして図示しているが、長方形の付箋用紙３０は重ねられ、付箋用紙束３は直方体を形成している。付箋用紙３０の裏面の一部または全部には糊が塗布され、付箋用紙束３から剥離された付箋用紙３０は貼付可能となる。
【００７０】
付箋用紙３０には、二次元コード３１が印刷されている。二次元コード３１には、アクセス情報が含まれている。二次元コード３１は、例えばスマートフォンにインストールされた専用アプリを起動することにより、スマートフォンのカメラで撮影されて、二次元コード３１に含まれるアクセス情報が読取られる。図示する二次元コード３１には、利用者情報に記録場所にアクセスするためのアクセス情報が含まれている。アクセス情報は１つの付箋用紙束３における付箋用紙３０において共通する情報が印刷されている。すなわち、１つの付箋用紙束３において糊付けされている付箋用紙３０において、１つの利用者データの記録先を共有することが可能となる。共通のアクセス情報を含む二次元コード３１であれば、二次元コード３１自体は付箋用紙３０毎に異なっていてもよい。例えば、二次元コード３１には、アクセス情報以外に、付箋用紙束３における付箋用紙のページ数、シリアル番号等を含んでいてもよい。また、二次元コード３１には、上書き用の付箋用紙と、追加用の付箋用紙の別を示す制御用の情報等を含んでいてもよい。
【００７１】
アクセス情報は、１つの利用者端末１の識別情報と対応付けられて登録されるため、付箋用紙３０を利用者データの記録用としても利用することができるとともに、例えば、付箋用紙束３において同じアクセス情報を有する付箋用紙３０を他の利用者に配布等することにより、付箋用紙３０を利用者データの閲覧用として使用することが可能となる。
【００７２】
付箋用紙３０には、二次元コード３１が左上の位置に印刷されている。このため、付箋用紙３０には、二次元コード３１の右下に利用者がメモを書き込める書込エリア３２が設けられている。利用者は、書込エリア３２にメッセージ等のメモを書き込んでから専用アプリを用いて付箋用紙３０全体を撮影することにより、二次元コード３１を含めて、書込エリア３２の画像も同時に取り込むことができる。本実施形態では、上述のように、利用者データ送信部１５は、二次元コード３１と同時に撮影された撮影画像を利用者データとして送信することができる。したがって、書込エリア３２に書込まれたメモ等の画像は、利用者データとして記録することが可能となる。なお、図４は、印刷媒体が付箋用紙束である場合を例示した。しかし、印刷媒体は、ステッカーまたはシール等であってもよい。また、印刷媒体の材質は、紙以外に、例えば、プラスチック、ゴム、木材、金属またはガラス等であってもよい。
【００７３】
次に、図５を用いて、専用アプリにおける利用者端末１における表示を説明する。図５は、実施形態における専用アプリの表示の一例を示す図である。専用アプリは、スマートフォンまたはタブレットＰＣ等のＯＳ（Ｏｐｅｒａｔｉｎｇ  Ｓｙｓｔｅｍ）上で動作するプログラムである。
【００７４】
図５において、利用者端末１として例示するスマートフォンの表示画面１００には、専用アプリを起動することにより表示されるカメラの撮影領域１１０における撮影画像が表示される。表示画面１００の左上には二次元コードの読取位置を示すガイドライン１１１が表示されている。利用者はカメラの位置を調整することにより、図４で示した付箋用紙３０に印刷された二次元コード３１の読取り位置と大きさを調整することができる。二次元コード３１の位置と大きさをガイドライン１１１に合わせることにより、撮影領域１１０が付箋用紙３０の全体と一致するようになっている。専用アプリは、二次元コード３１を検出したときに、そのときの撮影領域１１０における撮影画像をキャプチャする。専用アプリは、キャプチャした画像において、付箋用紙３０の書込エリア３２に書込まれたメモ等の画像を利用者データとしてネットワーク装置２に送信して記録することが可能となる。なお、専用アプリは、読込む付箋用紙３０の形状に合わせて撮影領域の形状を変化させるようにしてもよい。また、専用アプリは、付箋用紙に印刷された二次元コード以外に、ディスプレイ等に表示された二次元コードを読取るようにしてもよい。
【００７５】
また、二次元コードは、ディスプレイに付箋データを表示する付箋アプリケーション（付箋アプリ）に提供されてもよい。付箋アプリは、付箋データを生成して、生成した付箋データを自らのＰＣのディスプレイに表示することができるとともに他のＰＣに送信することができる。付箋アプリは、提供された二次元コードを図４で示した付箋用紙３０と同じ位置表示する付箋データを生成することにより、二次元コードが印刷された付箋用紙３０と同様な付箋データをディスプレイに表示させることができる。また、付箋アプリは、付箋データを、ネットワークを介した他のＰＣに提供することにより、紙媒体の付箋用紙３０の輸送をしなくても遠隔地のＰＣに対して二次元コード付きの付箋データを提供することが可能となる。
【００７６】
次に、図６を用いて、利用者端末制御プログラムの動作を説明する。図６は、実施形態における利用者端末制御プログラムの動作の一例を示すフローチャートである。以下のフローチャートの説明において、動作の実行主体は利用者端末１であるものとして説明するが、それぞれの動作は、上述した利用者端末１の各機能において実行される。
【００７７】
図６において、利用者端末１は、専用アプリを起動する（ステップＳ１１）。専用アプリは、例えばスマートフォン用のアプリケーションプログラム（アプリ）であり、利用者がスマートフォンの表示画面において起動操作をすることにより起動される。専用アプリは、利用者端末１のカメラを起動して、カメラで撮影された撮影画像を表示画面に表示して、二次元コードを撮影できる状態にする。撮影画像の表示は、例えば撮影部１１において実行される。
【００７８】
ステップＳ１１の処理を実行した後、利用者端末１は、二次元コードを認識したか否かを判断する（ステップＳ１２）。二次元コードを認識したか否かの判断は、例えば読取部１２において実行される。二次元コードを認識していないと判断した場合（ステップＳ１２：ＮＯ）、利用者端末１は、ステップＳ１２の処理を繰返し、二次元コードが認識されるのを待機する。なお、利用者端末１は、所定の時間内に二次元コードが認識されない場合には、フローチャートで図示する処理を中断するようにしてもよい。
【００７９】
一方、二次元コードを認識したと判断した場合（ステップＳ１２：ＹＥＳ）、利用者端末１は、撮影画像をキャプチャする（ステップＳ１３）。撮影画像のキャプチャは、例えば読取部１２において実行される。キャプチャした画像は、利用者端末１のＲＡＭ１０２等に一時的に記憶される。
【００８０】
ステップＳ１３の処理を実行した後、利用者端末１は、二次元コードに含まれているアクセス情報を読取る（ステップＳ１４）。アクセス情報の読取りは、例えば、読取部１２において実行される。読取られたアクセス情報は、利用者端末１のＲＡＭ１０２等に一時的に記憶される。利用者端末１は、アクセス情報と併せて、二次元コードに含まれる他の情報を読取るようにしてもよい。なお、二次元コードからアクセス情報を読取れなかった場合は、フローチャートで図示する処理を中断するようにしてもよい。
【００８１】
ステップＳ１４の処理を実行した後、利用者端末１は、読取ったアクセス情報に基づき、ネットワーク装置２に通信接続する（ステップＳ１５）。ネットワーク装置２への通信接続は、例えば、情報送信部１３において実行される。アクセス情報には、例えば、ＵＲＬの一部の情報が含まれており、専用アプリが有するＵＲＬ情報と合わせてネットワーク装置２の所定のアドレスに接続するようにしてもよい。
【００８２】
ステップＳ１５の処理を実行した後、利用者端末１は、アクセス情報と利用者端末１の識別情報をネットワーク装置２に対して送信する（ステップＳ１６）。アクセス情報と識別情報の送信は、例えば、情報送信部１３において実行される。識別情報は、専用アプリを利用者端末１にインストールするときに利用者端末１から取得してもよい。
【００８３】
ステップＳ１６の処理を実行した後、利用者端末１は、ネットワーク装置２から、送信したアクセス情報において対応付けが登録済みであるか否かを判断する（ステップＳ１７）。対応付けが登録済みであるか否かは、例えば、アクセス情報と識別情報とを対応付けた対応付け情報に基づきネットワーク装置２においてアクセス情報が登録済みであるか否かを判断し、対応付登録指示部１４がネットワーク装置２から判断結果を取得することにより判断することができる。対応付けが登録済みではないと判断した場合（ステップＳ１７：ＮＯ）、利用者端末１は、送信したアクセス情報と識別情報との対応付けを登録する指示をネットワーク装置２に対して実行する（ステップＳ１８）。対応付けの登録の指示は、例えば対応付登録指示部１４において実行される。対応付けの登録が指示されると、ネットワーク装置２において対応付けが登録される。
【００８４】
ステップＳ１８の処理を実行した後、利用者端末１は、利用者データをネットワーク装置２に送信して、利用者データをアクセス情報と対応付けてネットワーク装置２に記録する（ステップＳ１９）。利用者データの送信は、例えば、利用者データ送信部１５において実行される。利用者データは、例えば、図４において説明した付箋用紙３０の撮影画像の画像データであり、書込エリア３２に書込まれた画像データを含んでいる。なお、利用者データとして、音声データやテキストデータを記録するようにしてもよい。音声データは、専用アプリによって利用者端末１のマイクロフォンから集音されたデータであってもよい。また、テキストデータは、専用アプリによって撮影された撮影画像に含まれる文字列をＯＣＲ（Ｏｐｔｉｃａｌ  Ｃｈａｒａｃｔｅｒ  Ｒｅｃｏｇｎｉｔｉｏｎ）によってテキストデータに変換したものであってもよい。利用者データは、例えばファイルの一覧から利用者データとして記録するファイルを選択することにより記録されてもよい。
【００８５】
ステップＳ１９の処理を実行した後、利用者端末１は、記録された利用者データを利用者端末１の表示画面に表示する（ステップＳ２０）。利用者データの表示は、例えば、利用者データ閲覧部１６において実行される。利用者データを表示することにより、利用者データが正しく記録されたか否かを確認することが可能となる。
【００８６】
ステップＳ１８〜ステップＳ２０における処理の流れは、識別情報が未登録のアクセス情報に対して識別情報を登録して、さらにそのアクセス情報に対して利用者情報を記録する場合の処理の流れを示している。これにより、例えば、付箋用紙束３の付箋用紙３０を初めて使用する利用者端末１から、利用者データの記録が可能となる。
【００８７】
一方、ステップＳ１７において、対応付けが登録済みであると判断した場合（ステップＳ１７：ＹＥＳ）、利用者端末１は、登録済みの識別情報と送信した識別情報が同一か否かを判断する（ステップＳ２１）。識別情報が同一か否かは、ネットワーク装置２において、登録されている識別情報と送信した識別情報とを比較した比較結果を取得することにより実行することができる。識別情報が同一であると判断した場合（ステップＳ２１：ＹＥＳ）、利用者端末１は、利用者データを送信して（ステップＳ１９）、記録されている利用者データを更新することができる。ステップＳ２１〜ステップＳ１９における処理の流れは、何度も実行することができるため、利用者は、同じアクセス情報が記録された二次元コードを使用することにより、利用者データを何度も更新することが可能となる。
【００８８】
一方、識別情報が同一ではないと判断した場合（ステップＳ２１：ＮＯ）、利用者端末１は、識別情報が異なる他の端末において記録された利用者データを利用者端末１の表示画面に表示する（ステップＳ２０）。ステップＳ２１〜ステップＳ２０の処理において、利用者情報を記録（更新を含む）した利用者端末以外の利用者端末において、利用者データを共有することが可能となる。
【００８９】
ステップＳ２０の処理を実行した後、利用者端末１は、フローチャートで図示する処理を終了する。なお、専用アプリを起動させたままの場合には、ステップＳ２０の処理を終了後にステップＳ１２の処理に戻って処理を継続するようにしてもよい。
【００９０】
なお、フローチャートで図示した処理の実行順序は、図示したものに限定されない。例えば、ステップＳ１６において送信される識別情報は、ステップＳ１１の専用アプリの起動時に送信されるようにしてもよい。
【００９１】
次に、図７を用いて、ネットワーク装置制御プログラムの動作を説明する。図７は、実施形態におけるネットワーク装置制御プログラムの動作の一例を示すフローチャートである。以下のフローチャートの説明において、動作の実行主体はネットワーク装置２であるものとして説明するが、それぞれの動作は、上述したネットワーク装置２の各機能において実行される。
【００９２】
図７において、ネットワーク装置２は、利用者端末１からのアクセス情報及び識別情報を取得したか否かを判断する（ステップＳ３１）。アクセス情報及び識別情報を取得したか否かの判断は、例えば、情報取得部２１において実行される。アクセス情報及び識別情報を取得していないと判断した場合（ステップＳ３１：ＮＯ）、ネットワーク装置２は、ステップＳ３１の処理を繰返し、アクセス情報及び識別情報が取得されるのを待機する。なお、ネットワーク装置２は、複数の利用者端末１からのアクセス情報及び識別情報の取得毎にフローチャートで図示する処理を別スレッド等において並行的に処理するようにしてもよい。なお、本実施形態においては、利用者データはアクセス情報とともに撮影された撮影データであるものとし、利用者データはアクセス情報とともに利用者端末１から取得されるものとする。
【００９３】
一方、アクセス情報及び識別情報を取得したと判断した場合（ステップＳ３１：ＹＥＳ）、ネットワーク装置２は、対応付け情報を参照して、取得したアクセス情報が対応付け情報に登録済みであるか否かを判断する（ステップＳ３２）。アクセス情報が登録済みであるか否かの判断は、例えば、登録判断部２４において実行することができる。アクセス情報が対応付け情報に登録済みではないと判断した場合（ステップＳ３２：ＮＯ）、ネットワーク装置２は、利用者端末１に対して、対応付けを実行するか否かの確認をさせる（ステップＳ３３）。対応付けを実行するか否かの確認は、例えば、登録判断部２４が対応付けを登録する（登録指示）か、登録をキャンセルする（キャンセル指示）か、を選択するための選択画面を対応付登録指示部１４に提供することにより実行される。
【００９４】
ステップＳ３３の処理を実行した後、ネットワーク装置２は、対応付けの登録指示があったか否かを判断する（ステップＳ３４）。対応付けの登録指示があったか否かは、登録判断部２４が対応付登録指示部１４から登録指示を取得したか、キャンセル指示を取得したかで判断することができる。キャンセル指示が取得された場合（ステップＳ３４：ＮＯ）、ネットワーク装置２は、ステップＳ３１の処理に戻り、再度アクセス情報及び識別情報の取得を待機する。
【００９５】
一方、登録指示が取得された場合（ステップＳ３４：ＹＥＳ）、ネットワーク装置２は、取得されたアクセス情報及び識別情報の対応付けを対応付け情報に登録する（ステップＳ３５）。対応付けの登録は、対応付登録部２３において実行される。なお、本実施形態では、１つのアクセス情報には、１つの識別情報が対応付けられて登録される場合を説明しているが、１つのアクセス情報に複数の識別情報を登録できるようにしてもよい。登録する識別情報には、例えば、利用者データの登録または削除が可能な識別情報、利用者データの登録のみが可能な識別情報等、利用者データの登録、編集権限を対応付けて登録するようにしてもよい。
【００９６】
ステップＳ３５の処理を実行した後、ネットワーク装置２は、利用者端末から取得された利用者データをアクセス情報と対応付けて記録する（ステップＳ３６）。利用者データの記録は、例えば、利用者データ記録部２２において実行される。
【００９７】
ステップＳ３６の処理を実行した後、ネットワーク装置２は、記録した利用者データを利用者端末１に提供する（ステップＳ３７）。利用者データの提供は、例えば、利用者データ提供部２５において実行される。
【００９８】
ステップＳ３３〜ステップＳ３７における処理の流れは、識別情報が未登録のアクセス情報に対して識別情報を登録してそのアクセス情報に対して利用者情報を記録し、さらに記録した利用者情報を提供する場合の処理の流れを示している。これにより、例えば、付箋用紙束３の付箋用紙３０を初めて使用する利用者端末１からの利用者データの記録を可能にして、記録結果を閲覧可能にすることができる。
【００９９】
一方、ステップＳ３２の処理において、アクセス情報が対応付け情報に登録済みであると判断した場合（ステップＳ３２：ＹＥＳ）、ネットワーク装置２は、対応付け情報に登録済みの識別情報と取得した識別情報が同一か否かを判断する（ステップＳ３８）。識別情報が同一か否かの判断は、登録判断部２４において実行される。識別情報が同一であると判断した場合（ステップＳ３８：ＹＥＳ）、ネットワーク装置２は、取得された利用者データを記録して更新する。ステップＳ３８〜ステップＳ３６における処理の流れは、何度も実行することができるため、利用者は、同じアクセス情報が記録された二次元コードを使用することにより、利用者データを何度も更新することが可能となる。
【０１００】
一方、識別情報が同一ではないと判断した場合（ステップＳ３８：ＮＯ）、ネットワーク装置２は、識別情報が異なる他の端末において記録された利用者データを利用者端末１に提供する（ステップＳ３７）。ステップＳ３８〜ステップＳ３７の処理において、利用者情報を記録（更新を含む）した利用者端末以外の利用者端末１に対して、利用者データの共有を可能にすることができる。
【０１０１】
ステップＳ３７の処理を実行した後、ネットワーク装置２は、フローチャートで図示する処理を終了する。なお、フローチャートで図示した処理の実行順序は、図示したものに限定されない。
【０１０２】
なお、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１０３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合せで実現するもの、いわゆる差分ファイル（差分プログラム）であっても良い。
【０１０４】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１０５】
１      利用者端末
１１    撮影部
１２    読取部
１３    情報送信部
１４    対応付登録指示部
１５    利用者データ送信部
２      ネットワーク装置
２１    情報取得部
２２    利用者データ記録部
２３    対応付登録部
２４    登録判断部
２５    利用者データ提供部
２６    二次元コード提供部
９      ネットワーク
１０１  ＣＰＵ
１０２  ＲＡＭ
１０３  ＲＯＭ
１０４  タッチパネル
１０５    通信Ｉ／Ｆ
【図１】
2019148932.tif 000003
【図２】
2019148932.tif 000004
【図３】
2019148932.tif 000005
【図４】
2019148932.tif 000006
【図５】
2019148932.tif 000007
【図６】
2019148932.tif 000008
【図７】
2019148932.tif 000009
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
利用者が利用する利用者端末であって、
二次元コードを撮影する撮影部と、
撮影された前記二次元コードに含まれるアクセス情報を読取る読取部と、
ネットワークを介して接続されたネットワーク装置に対して、前記アクセス情報と前記利用者端末の識別情報とを送信する情報送信部と、
接続された前記ネットワーク装置に対して、前記アクセス情報と対応付けて記録したい利用者データを送信する利用者データ送信部と、を備え
前記利用者データ送信部は、前記二次元コードと同時に撮影された撮影画像を前記利用者データとして送信する、利用者端末。
【請求項２】
送信された前記アクセス情報と前記識別情報との対応付けの登録を前記ネットワーク装置に指示する対応付登録指示部をさらに備える、請求項１に記載の利用者端末。
【請求項３】
前記対応付登録指示部は、前記ネットワーク装置において前記アクセス情報に前記対応付けが登録されていないと判断された場合に、前記登録を指示する、請求項２に記載の利用者端末。
【請求項４】
前記利用者データ送信部は、前記ネットワーク装置において前記識別情報における前記対応付けが登録されていると判断された場合に、前記利用者データを送信する、請求項２または３に記載の利用者端末。
【請求項５】
前記利用者データ送信部は、前記ネットワーク装置において前記利用者データが既に記録されていると判断された場合に、記録を更新するための前記利用者データを送信する、請求項４に記載の利用者端末。
【請求項６】
送信された前記識別情報が前記アクセス情報と対応付けて登録されている識別情報とは異なると前記ネットワーク装置において判断された場合に、前記アクセス情報と対応付けられて記録された前記利用者データを閲覧する利用者データ閲覧部をさらに備える、請求項１から５のいずれか一項に記載の利用者端末。
【請求項７】
利用者が利用する利用者端末の制御方法であって、
二次元コードを撮影する撮影ステップと、
撮影された前記二次元コードに含まれるアクセス情報を読取る読取ステップと、
ネットワークを介して接続されたネットワーク装置に対して、前記アクセス情報と前記利用者端末の識別情報とを送信する情報送信ステップと、
接続された前記ネットワーク装置に対して、前記アクセス情報と対応付けて記録したい利用者データを送信する利用者データ送信ステップと、を含み、
前記利用者データ送信ステップは、前記二次元コードと同時に撮影された撮影画像を前記利用者データとして送信する、利用者端末の制御方法。
【請求項８】
請求項１から６のいずれか一項に記載の利用者端末の前記読取部において読取り可能なアクセス情報が含まれる二次元コードを、ネットワークを介して提供する、二次元コード提供装置。
【請求項９】
請求項１から６のいずれか一項に記載の利用者端末の前記読取部において読取り可能なアクセス情報が含まれる二次元コードが印刷された印刷媒体。
【請求項１０】
共通の前記アクセス情報を含む異なる前記二次元コードがそれぞれ印字された複数の付箋用紙が糊付けされて一の付箋用紙束を形成する、請求項９に記載の印刷媒体。
【請求項１１】
コンピュータを、請求項１から６のいずれか一つに記載の利用者端末の各機能部として機能させるための利用者端末制御プログラム。
【請求項１２】
利用者が利用する利用者端末の識別情報と、前記利用者端末において撮影された二次元コードから読み取られたアクセス情報とを、ネットワークを介して接続された前記利用者端末から取得する情報取得部と、
前記利用者端末から取得された前記アクセス情報と利用者データとを対応付けて記録する利用者データ記録部と、を備え、
前記利用者データ記録部は、前記利用者端末において前記二次元コードと同時に撮影された撮影画像を前記利用者データとして記録する、ネットワーク装置。
【請求項１３】
取得された前記アクセス情報と前記識別情報との対応付けを登録する対応付登録部をさらに備える、請求項１２に記載のネットワーク装置。
【請求項１４】
取得された前記アクセス情報に前記対応付けが登録されているか否かを判断する登録判断部をさらに備え、
前記対応付登録部は、前記登録がされていないと判断された場合に前記対応付けを登録する、請求項１３に記載のネットワーク装置。
【請求項１５】
前記登録判断部は、取得された前記識別情報が前記アクセス情報と対応付いて登録されている識別情報が同一か否かをさらに判断し、
前記利用者データ記録部は、前記識別情報が同一であると判断された場合に、前記アクセス情報と前記利用者データとを対応付けて記録する、請求項１４に記載のネットワーク装置。
【請求項１６】
前記登録判断部において前記識別情報が同一ではないと判断された場合に、前記アクセス情報と対応付けられて記録された前記利用者データを閲覧可能に提供する利用者データ提供部をさらに備える、請求項１５に記載のネットワーク装置。
【請求項１７】
前記アクセス情報と対応付けられた前記利用者データが既に記録されているか否かを判断する記録判断部をさらに備え、
前記利用者データ記録部は、前記利用者データが既に記録されていると判断された場合に、前記利用者データを更新して記録する、請求項１５または１６に記載のネットワーク装置。
【請求項１８】
利用者が利用する利用者端末の識別情報と、前記利用者端末において撮影された二次元コードから読み取られたアクセス情報とを、ネットワークを介して接続された前記利用者端末から取得する情報取得ステップと、
前記利用者端末から取得された前記アクセス情報と利用者データとを対応付けて記録する利用者データ記録ステップと、を含み、
前記利用者データ記録ステップは、前記利用者端末において前記二次元コードと同時に撮影された撮影画像を前記利用者データとして記録する、ネットワーク装置の制御方法。
【請求項１９】
コンピュータを、請求項１２から１７のいずれか一つに記載のネットワーク装置の各機能部として機能させるためのネットワーク装置制御プログラム。